(57)【要約】  本発明は文字入出力(ＴＴＹ/ＴＤＤ)サービスを支援する通信システムで文字情報の送信時に発生する音響反響(Acoustic Echo)を除去するための方法及び装置を提供する。本発明は移動通信網加入者が公衆電話網加入者との電話通話のためにＴＴＹ/ＴＤＤを用いて文字情報を入力するときに発生する音響反響を除去するためのものであり、ＭｔｏＬ(mobile-to-land)呼が設定される場合、基地局ボコーダー内のデコーダがＴＴＹ/ＴＤＤ文字の感知事実をエンコーダに知らせると、エンコーダが黙音(silence)情報を有するパケットを伝送する。
2005515691.tif 000002
【特許請求の範囲】
【請求項１】
基地局(ＢＳ)と、前記基地局に無線で接続されて通信し、文字情報を送受信するための文字入出力装備(ＴＴＹ/ＴＤＤ)を備える移動端末機(ＭＳ)とを含む通信システムで、前記基地局から外部通信網に文字情報を送信するとき、前記通信網から発生する音響反響の影響を除去するための方法において、
前記移動端末機の前記文字入出力装備から入力された文字情報が前記基地局に受信されるか否かを検出する過程と、
前記入力された文字情報が前記基地局に受信される場合、前記基地局で黙音情報を有するパケットを生成する過程と、
前記生成されたパケットを前記移動端末機の前記文字入出力装備に送信する過程とを含み、これにより、前記音響反響による前記文字入出力装備における前記入力された文字情報の再出力を防止することを特徴とする方法。
【請求項２】
前記入力された文字情報の検出は前記基地局のボコーダーにより行われることを特徴とする請求項1に記載の方法。 
【請求項３】
前記パケットの生成は前記基地局のボコーダーにより行われることを特徴とする請求項1に記載の方法。 
【請求項４】
前記外部通信網は公衆電話網(ＰＳＴＮ)であることを特徴とする請求項１に記載の方法。
【請求項５】
前記外部通信網は移動通信網であることを特徴とする請求項１に記載の方法。
【請求項６】
基地局(ＢＳ)と、前記基地局に無線で接続されて通信し、文字情報を送受信するための第１文字入出力装備(ＴＴＹ/ＴＤＤ)を備える移動端末機(ＭＳ)と、公衆電話網(ＰＳＴＮ)と、前記基地局と前記公衆電話網を相互接続する移動交換機(ＭＳＣ)と、前記公衆電話網に有線で接続されて通信し、文字情報を送受信するための第２文字入出力装備を備える有線端末機とを含む通信システムで、前記第１文字入出力装備から前記第２文字入出力装備に文字情報を送信するとき、前記有線端末機から発生する音響反響の影響を除去するための方法において、
前記移動端末機の前記第１文字入出力装備から入力された文字情報が前記基地局のボコーダーに受信されるか否かを検出する過程と、
前記入力された文字情報が前記基地局に受信される場合、前記基地局のボコーダーで黙音情報を有するパケットを生成する過程と、
前記基地局のボコーダーから生成されたパケットを前記移動端末機の前記第１文字入出力装備に送信する過程とを含み、これにより、前記音響反響による前記第１文字入出力装備における前記入力された文字情報の再出力を防止することを特徴とする方法。
【請求項７】
基地局(ＢＳ)と、前記基地局に無線で接続されて通信し、文字情報を送受信するための第１文字入出力装備(ＴＴＹ/ＴＤＤ)を備える移動端末機(ＭＳ)と、公衆電話網(ＰＳＴＮ)と、前記基地局と前記公衆電話網を相互接続する移動交換機(ＭＳＣ)と、前記公衆電話網に有線で接続されて通信し、文字情報を送受信するための第２文字入出力装備を備える有線端末機とを含む通信システムで、前記第１文字入出力装備から前記第２文字入出力装備に文字情報を送信するとき、前記有線端末機から発生する音響反響の影響を除去するための前記基地局のボコーダー装置において、
前記移動端末機の前記第１文字入出力装備から入力された文字情報が基地局のボコーダーに受信されるか否かを検出する検出器と、
前記入力された文字情報が前記基地局に受信される場合、黙音情報を有するブランクパケットを生成し、前記生成されたパケットを前記移動端末機の前記第１文字入出力装備に送信するパケット生成器とを含むことを特徴とするボコーダー装置。
【請求項８】
第１及び第２基地局(ＢＳ)と、前記第１基地局と前記第２基地局を相互接続する移動交換機(ＭＳＣ)と、前記第１基地局に無線で接続されて通信し、文字情報を送受信するための第１文字入出力装備(ＴＴＹ/ＴＤＤ)を備える第１移動端末機(ＭＳ)と、前記第２基地局に無線で接続されて通信し、文字情報を送受信するための第２文字入出力装備を備える第２移動端末機とを含む通信システムで、前記第１文字入出力装備から前記第２文字入出力装備に文字情報を送信するとき、前記第２移動端末機から発生する音響反響の影響を除去するための方法において、
前記入力された文字情報が前記第１基地局の第１文字入出力装備から前記第２基地局に受信されるか否かを検出する過程と、
前記入力された文字情報が前記第２基地局に受信される場合、前記第２基地局で予め設定された時間に前記第２移動端末機からの文字情報の受信を中止する過程とを含むことを特徴とする方法。
【請求項９】
前記入力された文字情報の検出は前記第２基地局のボコーダーにより行われることを特徴とする請求項８に記載の方法。
【請求項１０】
前記設定された時間に前記第２移動端末機からの文字情報受信の中止は前記第２基地局のボコーダーにより行われることを特徴とする請求項８に記載の方法。
【請求項１１】
前記設定された時間は少なくとも前記第２移動端末機のデコーダによるデコーディング及び前記第２移動端末機のエンコーダによるエンコーディングに所要される時間であることを特徴とする請求項８に記載の方法。
【請求項１２】
第１及び第２基地局(ＢＳ)と、前記第１基地局と前記第２基地局を相互接続する移動交換機(ＭＳＣ)と、前記第１基地局に無線で接続されて通信し、文字情報を送受信するための第１文字入出力装備(ＴＴＹ/ＴＤＤ)を備える第１移動端末機(ＭＳ)と、前記第２基地局に無線で接続されて通信し、文字情報を送受信するための第２文字入出力装備を備える第２移動端末機とを含む通信システムで、前記第１文字入出力装備から前記第２文字入出力装備に文字情報を送信するとき、前記第２移動端末機から発生する音響反響の影響を除去するための第２基地局のボコーダー装置において、
前記入力された文字情報が前記第１基地局の第１文字入出力装備から前記第２基地局に受信されるか否かを検出する検出器と、
前記入力された文字情報が前記第２基地局に受信される場合、前記第２基地局で予め設定された時間に前記移動交換機に送信される信号をミュートさせるためのミュート(mute)信号を生成する信号生成器とを含むことを特徴とするボコーダー装置。
【請求項１３】
前記設定された時間は少なくとも前記第２移動端末機のデコーダによるデコーディング及び前記第２移動端末機のエンコーダによるエンコーディングに所要される時間であることを特徴とする請求項１２に記載のボコーダー装置。
【発明の詳細な説明】
【技術分野】
【０００１】
本発明は通信システムの付加サービスに係り、特に、文字入出力(ＴＴＹ/ＴＤＤ:teletype/telecommunications device for the deaf)サービスのための通信システムで発生する音響反響を除去する方法及び装置に関する。
【背景技術】
【０００２】
移動通信システムのような通信システムは加入者に音声通話サービスのみならず、データサービスも支援する形態に発展している。さらに、通信システムは加入者の便利を図るための各種付加サービスも提供している。このような付加サービスの例としては“ＴＴＹ/ＴＤＤサービス”がある。前記“ＴＴＹ”はTeletype Corporationの登録商標である“Teletype”を示し、前記“ＴＤＤ”は“Telecommunications Device for the Deaf”を示す。すなわち、前記“ＴＴＹ/ＴＤＤ”サービスは聴覚障害人にも電話通話を可能にするサービスである。
【０００３】
前記ＴＴＹ/ＴＤＤサービスのためにはＴＴＹ/ＴＤＤ装備が要求される。前記ＴＴＹ/ＴＤＤ装備はキーボードと、モデム(ＭＯＤＥＭ:modulator/demodulator)と、前記モデムを通じて有線電話機に接続される表示部とを備えてなる。前記ＴＴＹ/ＴＤＤ装備は他の加入者からの音声を文字に変換して前記表示部に表示し、前記キーボードを通じて入力される文字を音声に変換して前記有線電話機に提供する。これにより、聴覚障害人も電話通話をすることができる。
【０００４】
一方、前記ＴＴＹ/ＴＤＤサービスに関連して米国は１９７０年代末から聴覚障害人のためのサービス提供に対する根拠を備えて１９９０年にはＡＤＡ(the Americans with Disabilities Act)を制定した。さらに、最近では移動通信システム標準規格でもＴＴＹ/ＴＤＤ機能を必須に備えることを規定している。よく知られたように、１３Ｋ ＱＣＥＬＰ(Qualcomm Code Excited Linear Prediction Code)とＥＶＲＣ(Enhanced Variable Rate Code)ボコーダーは２世代及び３世代無線移動送信システムで広く使用される代表的な音声圧縮技術である。このボコーダーにはＴＴＹ/ＴＤＤ機能がＩＳ-７３３-３、ＩＳ-１２７-４として追加された。ＩＳ-１２７-４はＥＶＲＣボコーダー(Vocoder)に追加されたＴＴＹ/ＴＤＤ機能を規定しており、ＩＳ-７３３-３は１３Ｋ ＱＣＥＬＰボコーダーに追加されたＴＴＹ/ＴＤＤ機能を規定している。
【０００５】
前記ボコーダーのエンコーダは音声サンプルを２０msフレームの単位で処理し、処理された音声情報をパケット(packet)で伝送する。前記ボコーダーのデコーダは音声パケットを受信し、エンコーダの逆過程を通じて音声サンプルを再生する。ＴＴＹ/ＴＤＤ機能の追加されたエンコーダは、入力されるパルス幅変調(ＰＣＭ:Pulse Code Modulation)サンプルが音声であるか、ＴＴＹ/ＴＤＤ文字であるかを判別する。この際、音声が入力されると、音声情報をパケットで伝送する。これとは異なり、ＴＴＹ/ＴＤＤ文字が入力されると、文字情報をパケットで伝送する。デコーダも受信したパケットを分析して音声情報であるか、ＴＴＹ/ＴＤＤ文字情報であるかを判別し、その判別結果に応じて音声サンプル又はＴＴＹ文字トーンを再生する。前記ＴＴＹ/ＴＤＤ機能はＶＣＯ/ＨＣＯ(voice carryover/hearing carryover)を支援する。前記ＶＣＯは電話機を通じて明確に聞こえない人々がタイピング無しにＴＴＹを使用するようにする。彼らは但し呼のインバウンド時にリーディング(reading)のためにＴＴＹを使用し、マイクに言うことにより相手と話す。同様に、ＨＣＯは口のきけない人々が相手からの応答を直接聞くようにする。このような機能を有するボコーダーを備えた通信システムは正常人と聴覚障害者との間又は聴覚障害者間の通信を可能にする。
【０００６】
文字入出力(ＴＴＹ/ＴＤＤ)サービスのためにＴＴＹ/ＴＤＤ機能が追加されたボコーダーを含む通信システムの構成例が図１、図２Ａ及び図２Ｂに示されている。図１は、移動通信網の加入者と公衆電話網の加入者との間にＴＴＹ/ＴＤＤサービスが提供されることを示した通信システムの網構成図である。図２Ａ及び図２Ｂは、移動通信網の加入者間にＴＴＹ/ＴＤＤサービスが提供されることを示した通信システムの網構成図である。
【０００７】
このような通信システムでＴＴＹ/ＴＤＤサービスが実行される場合、次のような問題点がある。
第一に、図１に示したように、移動通信網の加入者と公衆電話網の加入者との間のＭｔｏＬ(Mobile to Land)呼が設定される場合、音声情報の送受信時に有線電話機(Land Phone)１１１から音響反響(acoustic echo)が発生しても、その信号強度と遅延は人の耳で感知できないぐらい小さいため、移動端末機１０３で感じる通話品質は良好である。言い換えれば、音声データのみが存在する環境では有線電話機１１１の音響反響が発生しても、有線電話機１１１のマイクに入力される信号の強度が小さく、有線電話機１１１のマイクとスピーカーの距離が十分に離れているので、移動端末機(ＴＴＹ/ＴＤＤ端末)１０３で感じる通話品質は良好である。したがって、音響反響は問題とならない。
【０００８】
しかし、ＴＴＹ/ＴＤＤ文字情報が送受信される場合、有線電話機１１１から発生する音響反響の信号強度をＴＴＹ/ＴＤＤ装備１０１は十分に感知するので、前記ＴＴＹ/ＴＤＤ装備１０１はＴＴＹ/ＴＤＤ文字情報の送信による反響現象に応じてＴＴＹ/ＴＤＤ文字情報を再出力する。言い換えれば、音声データのみならず、ＴＴＹ/ＴＤＤ文字データも存在する環境では有線電話機１１１のスピーカーからマイクに入るＴＴＹ/ＴＤＤ文字トーンのＰＣＭ信号の強度が小さくても、基地局１０５内のボコーダー１０５のエンコーダ１０５ｂはＰＣＭ信号を十分に感知するので、ＴＴＹ/ＴＤＤ文字情報を有するパケットをＴＴＹ/ＴＤＤ端末１０３に伝送する。これにより、前記ＴＴＹ/ＴＤＤ端末１０３に連結されたＴＴＹ/ＴＤＤ装備１０１はＴＴＹ/ＴＤＤ文字を再出力する。すなわち、有線電話機１１１から発生する音響反響による影響がＴＴＹ/ＴＤＤ装備１０１に及ぶ。
【０００９】
第二に、図２Ａ及び図２Ｂに示したように、移動通信網の加入者間のＭｔｏＭ(Mobile to Mobile)トランスコーディング(transcoding)呼が設定される場合、一方の移動端末機３１１で発生する音響反響により、他方の移動端末機３０３に連結されたＴＴＹ/ＴＤＤ装備３０１はＴＴＹ/ＴＤＤ文字情報を再出力するようになる。言い換えれば、音声情報のみを送受信する環境では順方向リンクの移動端末機３１１から音響反響が発生しても、その移動端末機３１１のスピーカーを通じてマイクに入力されるＰＣＭ信号強度が非常に弱い。したがって、逆方向リンクの移動端末機３０３の通信品質には影響を与えない。
【００１０】
しかし、ＴＴＹ/ＴＤＤ機能が追加されて音声のみならず、ＴＴＹ/ＴＤＤ文字情報も送受信する環境では順方向リンクの移動端末機(ＴＴＹ/ＴＤＤ端末)３１１で音響反響が発生する場合、前記ＴＴＹ/ＴＤＤ端末３１１のスピーカーを通じてマイクに入力されるＰＣＭ ＴＴＹ/ＴＤＤ文字トーンはその信号強度が弱くても、前記ＴＴＹ/ＴＤＤ端末３１１のエンコーダ３１１ｂがＴＴＹ/ＴＤＤ文字トーンを十分に感知できる。これは、前記ＴＴＹ/ＴＤＤ端末３１１のエンコーダ３１１ｂが“3GPP2 C.S0028 Version 1.0 CDMA TTY/TDD Minimum Performance specification”の記載を満たすように微細強度を有するＴＴＹ/ＴＤＤ文字トーンを感知できるからである。したがって、逆方向リンクのＴＴＹ/ＴＤＤ端末３０３に連結されたＴＴＹ/ＴＤＤ装備３０１は音響反響に応じてＴＴＹ/ＴＤＤ文字を再出力するようになる。
【発明の開示】
【発明が解決しようとする課題】
【００１１】
したがって、本発明の目的は、ＴＴＹ/ＴＤＤサービスのための通信システムでＴＴＹ/ＴＤＤ文字情報の送受信時に発生する音響反響を除去する方法及び装置を提供することにある。
【００１２】
本発明の他の目的は、移動通信網加入者と公衆電話網加入者との間のＴＴＹ/ＴＤＤサービスを提供する通信システムで、前記移動通信網加入者がＴＴＹ/ＴＤＤ文字情報を前記公衆電話網加入者に送信するときに発生する音響反響を除去する方法及び装置を提供することにある。
【００１３】
本発明のさらに他の目的は、移動通信網加入者間のＴＴＹ/ＴＤＤサービスを提供する通信システムで、いずれか一移動通信網加入者がＴＴＹ/ＴＤＤ文字情報を他の移動通信網加入者に送信するときに発生する音響反響を除去する方法及び装置を提供することにある。
【課題を解決するための手段】
【００１４】
前記目的を達成するための本発明は第１見地によれば、基地局(ＢＳ)と、前記基地局に無線で接続されて通信し、文字情報を送受信するための文字入出力装備(ＴＴＹ/ＴＤＤ)を備える移動端末機(ＭＳ)とを含む通信システムで、前記基地局から外部通信網に文字情報を送信するとき、前記通信網から発生する音響反響の影響を除去するための方法において、前記移動端末機の前記文字入出力装備から入力された文字情報が前記基地局に受信されるか否かを検出する過程と、前記入力された文字情報が前記基地局に受信される場合、前記基地局で黙音情報を有するパケットを生成する過程と、前記生成されたパケットを前記移動端末機の前記文字入出力装備に送信する過程とを含み、これにより、前記音響反響による前記文字入出力装備における前記入力された文字情報の再出力を防止することを特徴とする。
【００１５】
本発明の第２見地によれば、基地局(ＢＳ)と、前記基地局に無線で接続されて通信し、文字情報を送受信するための第１文字入出力装備(ＴＴＹ/ＴＤＤ)を備える移動端末機(ＭＳ)と、公衆電話網(ＰＳＴＮ)と、前記基地局と前記公衆電話網を相互接続する移動交換機(ＭＳＣ)と、前記公衆電話網に有線で接続されて通信し、文字情報を送受信するための第２文字入出力装備を備える有線端末機とを含む通信システムで、前記第１文字入出力装備から前記第２文字入出力装備に文字情報を送信するとき、前記有線端末機から発生する音響反響の影響を除去するための方法において、前記移動端末機の前記第１文字入出力装備から入力された文字情報が前記基地局のボコーダーに受信されるか否かを検出する過程と、前記入力された文字情報が前記基地局に受信される場合、前記基地局のボコーダーで黙音情報を有するパケットを生成する過程と、前記基地局のボコーダーから生成されたパケットを前記移動端末機の前記第１文字入出力装備に送信する過程とを含み、これにより、前記音響反響による前記第１文字入出力装備における前記入力された文字情報の再出力を防止することを特徴とする。
【００１６】
本発明の第３見地によれば、第１及び第２基地局(ＢＳ)と、前記第１基地局と前記第２基地局を相互接続する移動交換機(ＭＳＣ)と、前記第１基地局に無線で接続されて通信し、文字情報を送受信するための第１文字入出力装備(ＴＴＹ/ＴＤＤ)を備える第１移動端末機(ＭＳ)と、前記第２基地局に無線で接続されて通信し、文字情報を送受信するための第２文字入出力装備を備える第２移動端末機とを含む通信システムで、前記第１文字入出力装備から前記第２文字入出力装備に文字情報を送信するとき、前記第２移動端末機から発生する音響反響の影響を除去するための方法において、前記入力された文字情報が前記第１基地局の第１文字入出力装備から前記第２基地局に受信されるか否かを検出する過程と、前記入力された文字情報が前記第２基地局に受信される場合、前記第２基地局で予め設定された時間に前記第２移動端末機からの文字情報の受信を中止する過程とを含むことを特徴とする。
【発明の効果】
【００１７】
本発明によれば、ＴＴＹ/ＴＤＤサービスを支援する通信システムでＭｔｏＬ呼が設定される場合、有線電話機から発生する音響反響を除去することができ、さらに、ＭｔｏＭトランスコーディング呼が設定される場合、文字情報の受信側の移動端末機(ＴＴＹ/ＴＤＤ端末)から発生する音響反響を取り除くことができる。
【発明を実施するための最良の形態】
【００１８】
以下、本発明の好適な実施形態について添付図面を参照して詳細に説明する。下記説明において、本発明の要旨のみを明瞭とするために公知の機能又は構成に対する詳細な説明は省略する。
【００１９】
本発明はＴＴＹ/ＴＤＤサービスを支援する移動通信システムのような通信システム、すなわち、文字入出力装備(ＴＴＹ/ＴＤＤ)を含む通信システムで文字情報の送信時に発生する音響反響(Acoustic Echo)を除去するためのものである。本発明の実施例による音響反響除去動作は第１実施例と第２実施例に分けられる。
【００２０】
本発明による第１実施例は、移動通信網加入者(聴覚障害人)が公衆電話網加入者(聴覚障害人又は正常人)との電話通話のためにＴＴＹ/ＴＤＤ装備を用いて文字情報の入力時に発生する音響反響を除去するためのものである。このような第１実施例によれば、ＭｔｏＬ呼が設定される場合、基地局ボコーダー内のＴＴＹ/ＴＤＤ文字検出器はＴＴＹ/ＴＤＤ文字を検出し、ブランクパケット生成器(Blank Packet Generator)１１７は黙音(silence)情報を有するパケットを伝送する。ここで、ＭｔｏＬ(Mobile to Land)呼は移動通信網加入者と公衆電話網加入者の電話通話のために設定される呼を意味する。前記ＴＴＹ/ＴＤＤ文字検出器によりＴＴＹ/ＴＤＤ文字が検出されない場合、エンコーダが正常的なパケットを伝送する。
【００２１】
本発明の第２実施例は一移動通信網加入者(聴覚障害人)が他の移動通信網加入者(聴覚障害人又は正常人)との電話通話のためにＴＴＹ/ＴＤＤを用いて文字情報の入力時に発生する音響反響を除去するためのものである。このような第２実施例によれば、ＭｔｏＭ(Mobile to Mobile)トランスコーディング(transcoding)呼が設定される場合、順方向リンクの基地局ボコーダーはＰＣＭ信号をエンコーダのみならず、ＴＴＹ/ＴＤＤ文字検出器にも入力されるようにする。ここで、ＭｔｏＭ呼は一移動通信網加入者と他の移動通信網加入者の電話通話のために設定される呼を意味する。前記ＴＴＹ/ＴＤＤ文字検出器により検出された情報(黙音、音声、ＴＴＹ/ＴＤＤ文字)の種類に応じて遅延カウンター(Delay Counter)の値が設定される。この遅延カウンターの設定値に応じて基地局ボコーダー内ではデコーダが動作するか、ＰＣＭ信号の値を“０”とするＰＣＭミュート生成器(Mute Generator)が動作する。
【００２２】
第１実施例
図３Ａは、本発明の第１実施例に応じて文字入出力(ＴＴＹ/ＴＤＤ)サービスのための通信システムから発生する音響反響を除去するためのシステムの構成を示した図である。図３Ｂは、図３Ａに示した基地局ボコーダー１０５の構成を詳しく示した図である。
【００２３】
図３Ｂを参照すれば、前記基地局ボコーダー１０５は、図１に示したようにデコーダ１０５ａとエンコーダ１０５ｂのみならず、ＴＴＹ/ＴＤＤ文字検出器１１５、ブランクパケット生成器１１７及びスイッチ(ＳＷ)を備えてなる。前記デコーダ１０５ａの入力端と前記ＴＴＹ/ＴＤＤ文字検出器１１５の入力端はＴＴＹ/ＴＤＤ端末１０３からのパケットを受信するように連結される。前記デコーダ１０５ａは前記受信パケットをデコーディングし、ＰＣＭ信号をＭＳＣ１０７に出力する。前記ＴＴＹ/ＴＤＤ文字検出器１１５はＴＴＹ/ＴＤＤ端末１０３から受信されるパケットにＴＴＹ/ＴＤＤ文字が含まれているかを検出し、その検出結果による検出メッセージを出力する。前記エンコーダ１０５ｂの入力端と前記ブランクパケット生成器１１７の入力端はＭＳＣ１０７からのＰＣＭ信号を受信するように連結される。前記エンコーダ１０５ｂは前記ＰＣＭ信号をエンコーディングしてパケットを出力する。前記ブランクパケット生成器１１７は前記ＰＣＭ信号からの黙音(silence)情報を有するブランクパケットを生成する。
【００２４】
図３Ａ及び図３Ｂを参照すれば、基地局ボコーダー１０５はＴＴＹ/ＴＤＤ文字を感知するためのＴＴＹ/ＴＤＤ文字検出器１１５と、ブランクパケットを生成し、前記ＴＴＹ/ＴＤＤ文字検出器１１５による検出メッセージに応じて前記生成されたブランクパケットを出力するためのブランクパケット生成器１１７とを備えてなる。本発明による第１実施例は、基地局と、前記基地局に無線で接続されて通信する移動端末機(ＴＴＹ/ＴＤＤ端末)１０３と、前記移動端末機１０３に接続されて文字情報を送受信する第１文字入出力装備(ＴＴＹ/ＴＤＤ)１０１と、公衆電話網(ＰＳＴＮ:Public Switched Telephone Network)１０９と、前記基地局と前記公衆電話網１０９を相互接続する移動交換機(ＭＳＣ:Mobile Switching Center)１０７と、前記公衆電話網１０９に有線で接続されて通信する有線端末機(LAND phone)１１１と、前記有線端末機１１１に有線で接続されて前記有線端末機１１１と文字情報を送受信する第２文字入出力装備１１３とを含む通信システムに適用される。前記第１文字入出力装備１０１は図３Ａに示したように移動端末機１０３に有線又は無線で接続されることができる。さらに、前記第１文字入出力装備１０１は前記移動端末機１０３の内部に実装される形態で構成されうる。同様に、前記第２文字入出力装備１１３は前記有線端末機１１１に有線又は無線で接続されることができ、前記第２文字入出力装備１１３は前記有線端末機１１１の内部に実装される形態で構成されうる。
【００２５】
図４は、本発明の第１実施例による音響反響除去動作の処理流れを示した図である。このような処理動作は、第１文字入出力装備１０１から前記第２文字入出力装備１１３に文字情報を送信するときに発生する音響反響の影響を除去するためのものである。本発明の第１実施例による音響反響除去動作は、前記第１文字入出力装備１０１から入力された文字が前記移動端末機１０３を通じて前記基地局ボコーダー１０５に受信されるか否かをＴＴＹ/ＴＤＤ文字検出器１１５により検出する過程(ステップ２０１)と、前記入力された文字情報が前記基地局ボコーダー１０５に受信されたことを検出した場合(ステップ２０１のYes）、前記基地局ボコーダー１０５のブランクパケット生成器１１７で黙音情報を有するブランクパケットを生成し、前記生成されたパケットを前記移動端末機１０３を通じて前記文字入出力装備１０１に送信する過程(ステップ２０３)とを含む。このような動作により、前記音響反響による前記文字入出力装備１０１で前記入力された文字情報の再出力が防止される。
【００２６】
図３Ａ、図３Ｂ及び図４を参照すれば、ＴＴＹ/ＴＤＤ装備１０１がＴＴＹ/ＴＤＤ文字を有線電話機１１１に連結されたＴＴＹ/ＴＤＤ装備１１３に伝送すると仮定すれば、前記有線電話機１１１から発生する音響反響を基地局ボコーダー１０５のエンコーダ１０５ｂが十分に感知するので、前記エンコーダ１０５ｂは前記ＴＴＹ/ＴＤＤ装備１０１が伝送したＴＴＹ/ＴＤＤ文字を再びＴＴＹ/ＴＤＤ端末機１０３にパケットで伝送する。したがって、ＴＴＹ/ＴＤＤ端末機１０３のデコーダ１０３ｂは該当ＴＴＹ/ＴＤＤ文字トーンを再生するので、前記ＴＴＹ/ＴＤＤ装備１０１はＴＴＹ/ＴＤＤ文字を再出力する。これにより、基地局ボコーダー１０５が有線電話機１１１から発生する音響反響を防止せずにＴＴＹ/ＴＤＤ文字反響が発生する。このような現象は、基地局ボコーダー１０５内にＴＴＹ/ＴＤＤ機能が追加され、“3GPP2 C．S0028 Version 1.0 CDMA TTA/TDD Minimum Performance Specification”により基地局ボコーダー１０５のエンコーダ１０５ｂが微細な信号強度を有するＴＴＹ/ＴＤＤ文字のＰＣＭ信号を十分に認知するので発生する。
【００２７】
したがって、このような音響反響を取り除くために、基地局ボコーダー１０５は、デコーダ１０５ａと並列連結されたＴＴＹ/ＴＤＤ文字検出器１１５と、エンコーダ１０５ｂと並列連結されたブランクパケット生成器１１７とをさらに含む。前記ＴＴＹ/ＴＤＤ文字検出器１１５がＴＴＹ/ＴＤＤ文字を検出する場合、エンコーダ１０５ｂの代わりにブランクパケット生成器１１７が黙音情報を有するブランクパケットをＴＴＹ/ＴＤＤ端末１０３に伝送する。これとは異なり、前記ＴＴＹ/ＴＤＤ文字検出器１１５によりＴＴＹ/ＴＤＤ文字が検出されない場合、エンコーダ１０５ｂは正常的に動作してＭＳＣ１０７から受信された正常的なパケットをＴＴＹ/ＴＤＤ端末１０３に伝送する。
【００２８】
図４を参照すれば、前記ＴＴＹ/ＴＤＤ文字検出器１１５は、ステップ２０１に示したように、ＴＴＹ/ＴＤＤ端末１０３から受信されたパケットにＴＴＹ/ＴＤＤ文字が含まれているかを検出する。仮に、ＴＴＹ/ＴＤＤ文字が検出された場合、基地局ボコーダー１０５はＴＴＹ/ＴＤＤモードで動作し、そうでない場合、音声モードで動作する。ＴＴＹ/ＴＤＤモードの場合、ステップ２０３でブランクパケット生成器１１７は黙音情報を生成し、その黙音情報をＴＴＹ/ＴＤＤ端末１０３に伝送する。一方、音声モードの場合、ステップ２０５でエンコーダ１０５ｂは正常的に動作してＭＳＣ１０７から受信された音声パケットをＴＴＹ/ＴＤＤ端末機１０３に伝送する。このような動作はＴＴＹ/ＴＤＤ文字伝送時にはシステムがハフデュープレックス(half-duplex)モードで動作するので可能である。すなわち、ＴＴＹ/ＴＤＤ装備１０１がＴＴＹ/ＴＤＤ文字を伝送するとき、有線電話機１１１は音声情報又はＴＴＹ/ＴＤＤ文字を伝送できないからである。さらに、有線電話機１１１が音声情報又はＴＴＹ/ＴＤＤ文字を伝送するとき、既に基地局ボコーダー１０５のエンコーダ１０５ｂはデコーダ１０５ａから音声モード情報を受信したので、正常的に動作する。
【００２９】
第２実施例
図５Ａは、本発明の第２実施例に応じて文字入出力(ＴＴＹ/ＴＤＤ)サービスのための通信システムで発生する音響反響を除去するためのシステムの構成を示した図である。図５Ｂは、図５Ａに示した基地局ボコーダー３０９の構成を具体的に示した図である。
【００３０】
前記基地局ボコーダー３０９は、図２Ａ及び図２Ｂに示したように、エンコーダ３０９ａ、デコーダ３０９ｂのみならず、ＴＴＹ/ＴＤＤ文字検出器３１５、遅延カウンター３１７、ＰＣＭミュート生成器３１９及びスイッチ(ＳＷ)をさらに備えてなることを特徴とする。前記エンコーダ３０９ａの入力端と前記ＴＴＹ/ＴＤＤ文字検出器３１５の入力端はＭＳＣ３０７からのＰＣＭ信号を受信するように連結される。前記エンコーダ３０９ａは前記ＰＣＭ信号をエンコーディングし、エンコーディング結果によるパケットをＴＴＹ/ＴＤＤ端末３１１に出力する。
【００３１】
前記ＴＴＹ/ＴＤＤ文字検出器３１５はＰＣＭ信号にＴＴＹ/ＴＤＤ文字が含まれているかを検出し、その検出結果による検出メッセージを出力する。遅延カウンター３１７の遅延カウント値は前記ＴＴＹ/ＴＤＤ文字検出器３１５による検出結果に応じて設定される。前記遅延カウンター３１７によるカウント値に応じてデコーダ３０９ｂの出力とＰＣＭミュート生成器３１９の出力のうち、いずれか一つの出力がスイッチ(ＳＷ)を通じてＭＳＣ３０７に提供される。前記デコーダ３０９ｂの入力端と前記ＰＣＭミュート生成器３１９の入力端はＴＴＹ/ＴＤＤ端末３１１からのパケットを受信するように連結される。前記デコーダ３０９ｂは前記受信パケットをデコーティングしてＰＣＭ信号を出力する。前記ＰＣＭミュート生成器３１９は前記受信パケットを入力し、ＭＳＣ３０７に提供されるＰＣＭ信号をミュートさせる。前記デコーダ３０９ｂの出力端と前記ＰＣＭミュート生成器３１９の出力端はスイッチ(ＳＷ)に連結される。前記スイッチは前記遅延カウンター３１７から出力されるカウント値に応じてスイッチングされてデコーダ３０９ｂの出力又はＰＣＭミュート生成器３１９の出力をＭＳＣ３０７に提供する。
【００３２】
図５Ａ及び図５Ｂを参照すれば、上述したように、エンコーダ３０５ａと並列に基地局ボコーダー３０９はＴＴＹ/ＴＤＤ文字を検出し、その検出結果による検出メッセージを出力するためのＴＴＹ/ＴＤＤ文字検出器３１５を含む。さらに、前記基地局ボコーダー３０９は前記ＴＴＹ/ＴＤＤ文字検出器３１５から出力される検出メッセージに応じてカウント動作を行う遅延カウンター３１７をさらに含む。上述したように、デコーダＢ３０５ｂと並列に基地局ボコーダー３０９は前記遅延カウンター３１７によるカウント動作の実行時にＰＣＭミュート信号を生成するためのＰＣＭミュート生成器３１９及びスイッチ(ＳＷ)をさらに備える。
【００３３】
前記第２実施例は第１基地局及び第２基地局と、前記第１基地局と前記第２基地局を相互接続する移動交換機３０７と、前記第１及び第２基地局にそれぞれ無線で接続されて通信する第１移動端末機３０３及び第２移動端末機３１１と、前記第１及び第２移動端末機３０３，３１１にそれぞれ接続されて該当移動端末機と文字情報を送受信する第１及び第２文字入出力装備(ＴＴＹ/ＴＤＤ)３０１，３１３とを含む通信システムに適用される。前記第１文字入出力装備３０１は、図５Ａに示したように、前記移動端末機３０３に有線又は無線で接続されうる。さらに、前記第１文字入出力装備３０１は前記移動端末機３０３の内部に実装される形態で構成されることができる。同様に、前記第２文字入出力装備３１３は前記移動端末機３１１に有線又は無線で接続されることができ、前記第２文字入出力装備３１３は前記移動端末機３１１の内部に実装される形態で構成されうる。
【００３４】
ＭｔｏＭバイパス(bypass)呼が設定される場合、ＴＴＹ/ＴＤＤ端末３１１で反響を防止しなければ、基地局のボコーダー３０５は反響を取り除くことができない。一方、ＭｔｏＭトランスコーディング呼が設定されると、基地局ボコーダー３０９は本発明の実施例による音響反響を除去することができる。
【００３５】
ＴＴＹ/ＴＤＤ装備３０１がＴＴＹ/ＴＤＤ文字を伝送すれば、ＴＴＹ/ＴＤＤ端末３１１から発生する反響によりＴＴＹ/ＴＤＤ装備３０１でＴＴＹ/ＴＤＤ文字を再出力する現象が図２Ａに示したように発生する。前記ＴＴＹ/ＴＤＤ端末３１１から発生する音響反響を防止するためには、基地局ボコーダー３０５でない基地局ボコーダー３０９に本発明を適用する。これは二つのＴＴＹ/ＴＤＤ端末のエンコーディングとデコーディング、二つの基地局ボコーダーのエンコーディングとデコーディングによる遅延問題によりＴＴＹ/ＴＤＤ端末３１１と近い位置の基地局ボコーダー３０９で反響を防止することが好ましいからである。
【００３６】
基地局ボコーダー３０９のエンコーディング及びＴＴＹ/ＴＤＤ端末３１１のデコーディングにかかる遅延時間と一つのＴＴＹ/ＴＤＤ文字(７〜１６個のフレームを占有)の長さを考慮して、ＴＴＹ/ＴＤＤ装備３０１から伝送したＴＴＹ/ＴＤＤ文字のＰＣＭ信号が基地局ボコーダー３０９のエンコーダ３０９ａに入力される瞬間から前記ボコーダー３０９のデコーダ３０９ｂに戻る時間(delay)を本発明ではほぼ３００msに設定する。この遅延値はＴＴＹ/ＴＤＤ文字検出器３１５がＴＴＹ/ＴＤＤ文字を検出し、その検出結果に応じてＰＣＭミュート生成器３１９の動作に必要な最小限の時間に該当する。しかし、ＴＴＹ/ＴＤＤ装備３１３がＴＴＹ/ＴＤＤ文字を伝送するので、続けて前記ＰＣＭミュート生成器３１９を動作させることができない。したがって、一定の時間経過後、前記ＰＣＭミュート生成器３１９の動作をオフさせる必要がある。一般に、ＴＴＹ/ＴＤＤ文字の送受信環境で通信は一方向通信、すなわち、“ハフデュープレックスモード(half-duplex mode)”で行われるので、ＴＴＹ/ＴＤＤ端末３０３の使用者がＴＴＹ/ＴＤＤ端末３０１から伝送されたＴＴＹ/ＴＤＤ文字の完全な出力を認知した後、ＴＴＹ/ＴＤＤ文字の伝送を開始する。本発明の実施例では、適宜遅延時間は６００ms(図６のステップ４３１を参照)である。この遅延時間はＴＴＹ/ＴＤＤ文字を認知する時間と、ＴＴＹ/ＴＤＤ文字が検出されてＰＣＭミュート生成器３１９が動作する最小限の時間と、上述した３００msの遅延時間とを考慮したものである。前記遅延時間はＰＣＭミュート生成器３１９が駆動してオン状態を維持する時間に該当する。
【００３７】
図６は、本発明の第２実施例による音響反響除去動作の処理流れを示した図である。このような処理動作は、第１文字入出力装備３０１から第２文字入出力装備３１３に文字情報を送信するとき、第２移動端末機３１１から発生する音響反響の影響を除去するためのものである。本発明の第２実施例による音響反響除去動作は、前記入力された文字情報をＴＴＹ/ＴＤＤ文字検出器３１５で移動交換機３０７を通じて第１文字入出力装備３０１から受信されたＰＣＭ信号で検出する過程と、前記第２基地局ボコーダー３０９のデコーダ３０９ｂで予め設定された時間に前記第２移動端末機３１１からの文字情報の受信を中止する過程とを含む。前記設定された時間は少なくとも前記第２移動端末機３１１のデコーダ３１１ａによるデコーディング及び前記第２移動端末機３１１のエンコーダ３１１ｂによるエンコーディングに所要される時間である。
【００３８】
図６を参照すれば、ステップ４０１でＴＴＹ/ＴＤＤ文字検出器３１５はＭＳＣ３０７からのＰＣＭ信号を入力する。前記入力されたＰＣＭ信号の現在のフレームが新たなＴＴＹ/ＴＤＤ文字に該当すると判断すれば、ステップ４２７に進行して遅延カウンター３１７の値を３０に設定する。この設定ねは６００msに該当するフレームの個数と同じである。その後、ステップ４２９でＰＣＭミュート生成器３１９はオン状態となる。ここで、ＰＣＭミュート生成器３１９のオン状態はＰＣＭミュート生成器３１９により生成されるＰＣＭミュート信号が出力されるようにスイッチがスイッチングされる状態を意味する。
【００３９】
一方、ＴＴＹ/ＴＤＤ文字検出器３１５は黙音、音声又は以前のものと同じＴＴＹ/ＴＤＤ文字を検出すれば、ステップ４１３、４１７又は４２５で遅延カウンター３１７はそのカウント値を減少させる。前記遅延カウンター３１７によるカウント値が１である場合、ＰＣＭミュート生成器３１９はオフ状態となり、その代わりにデコーダ３０９ｂはオン状態となる。
【００４０】
仮に、前記遅延カウンター３１７によるカウント値が１でなければ、ステップ４１９でＰＣＭミュート生成器３１９をオン状態に維持させる。同じＴＴＹ/ＴＤＤ文字が発生してステップ４２５のように遅延カウンター３１７のカウント値を減少させても、前記遅延カウンター３１７のカウント値は１とならないので、ステップ４２９でＰＣＭミュート生成器３１９がオン状態を維持するようにする。このように処理することは、上述したように一つのＴＴＹ/ＴＤＤ文字が７〜１６個のフレームで伝送されるので、前記ＴＴＹ/ＴＤＤ文字が最大１６個のフレームの長さを有するとしても、遅延カウンター３１７のカウント値は１５となるからである。
【００４１】
以上、本発明の詳細について具体的な実施形態に基づいて説明してきたが、本発明の範囲を逸脱しない限り、各種の変形が可能なのは明らかである。従って、本発明の範囲は、上記実施形態に限るものでなく、特許請求の範囲並びにその範囲と均等なものにより定められるべきである。
【図面の簡単な説明】
【００４２】
【図１】文字入出力(ＴＴＹ/ＴＤＤ)サービスのための従来の技術の一例による通信システムで音響反響の問発生を示した図。
【図２】Ａ及びＢは文字入出力(ＴＴＹ/ＴＤＤ)サービスのための従来の技術の他の一例による通信システムで音響反響の問題発生を示した図。
【図３】Ａ及びＢは本発明の第１実施例に応じて文字入出力(ＴＴＹ/ＴＤＤ)サービスのための通信システムで発生する音響反響を除去するためのシステムの構成を示した図。
【図４】本発明の第１実施例による音響反響除去動作の処理流れを示した図。
【図５】Ａ及びＢは本発明の第２実施例に応じて文字入出力(ＴＴＹ/ＴＤＤ)サービスのための通信システムで発生する音響反響を除去するためのシステムの構成を示した図。
【図６】本発明の第２実施例による音響反響除去動作の処理流れを示した図。
【図１】
2005515691.tif 000003
【図２Ａ】
2005515691.tif 000004
【図２Ｂ】
2005515691.tif 000005
【図３Ａ】
2005515691.tif 000006
【図３Ｂ】
2005515691.tif 000007
【図４】
2005515691.tif 000008
【図５Ａ】
2005515691.tif 000009
【図５Ｂ】
2005515691.tif 000010
【図６】
2005515691.tif 000011
【国際調査報告】
2005515691.tif 000012
2005515691.tif 000013